(57)【特許請求の範囲】
【請求項１】
紙幣を収容する紙幣保管手段（２０）と、
監視用紙を保管する用紙保管手段（２１）と、
前記紙幣保管手段から紙幣を一枚ずつ取り出す手段（４２、５６、５８）と、
取り出された紙幣を出力スロットル（１４）に供給する手段（５４、６２）と、
供給される紙幣が複数枚あることを検知する複数紙幣検出手段（６０）と、
前記出力スロットルに供給された紙幣の全部又は一部が所定時間取り出されないことを検出するセンサ手段（８６）と、
前記複数紙幣検出手段又は前記センサ手段の検知によるパージ操作によって回収された紙幣を蓄積するパージ容器手段（８４）と、
前記パージ操作があった際に前記用紙保管手段から前記監視用紙を引き出し、当該パージ操作の後に当該引き出された監視用紙に当該パージ操作に係る特定の識別情報を印刷して前記パージ容器手段に蓄積させると共に、連続的なパージ操作において前記パージ容器手段内に蓄積された紙幣を相互に分離可能にする用紙処理手段（１８、５４、７０、７２）と、
の各手段を備えることを特徴とする現金自動支払装置。
【請求項２】
前記現金自動支払装置において要求された各取引業務の詳細、当該取引業務の結果、すなわち成功裏に払い出された現金又はパージされた現金に関する情報を記録することを特徴とする請求項１に記載の現金自動支払装置。
【発明の詳細な説明】
【０００１】
【発明の属する技術分野】
本発明は現金自動支払装置に関する。本発明は、特に現金自動支払機（ＡＴＭ）の現金自動支払ユニットに関する。
【０００２】
【従来の技術】
周知のように、ＡＴＭの操作においては、使用者は顧客識別カードを機械に挿入し、次に特定のデータ（コード、必要な金額、取引業務のタイプなど）を、機械のユーザ・コンソールに含まれる１つ以上のキーボードに入力する。次に、機械は取引業務を処理し、ユーザの口座を更新して現金取引業務を反映し、必要に応じて、機械に取り付けられた１つ以上の通貨カセットから現金を支払い、ルーチン操作の一部として、使用者にカードを返却する。
【０００３】
ＡＴＭの既知の現金自動支払機は、関連通貨カセットから紙幣を１枚ずつ抽出するための少なくとも１つの紙幣取り出し機構と、抽出した紙幣を堆積させてスタックにするスタッキング手段と、ＡＴＭのユーザがスタックを取り出せるＡＴＭの分配口または出口スロットに紙幣のスタックを供給する移動手段とを含む。たとえば、複数紙幣検出機構が、スタック操作の途中で１回の取り出し操作で２枚以上の紙幣を取り出したことを検出した場合など、何らかの理由で紙幣のスタックを拒否することが決定されると、スタックを出口スロットに供給する代わりに、移動機構はスタックを拒否紙幣容器（パージ容器）に供給する。この既知の自動支払ユニットの操作では、パージ操作が生じた場合には、ＡＴＭのユーザが現金の引出要求に応じて差し出された紙幣の一部または全部を、取り出すことができない。したがって、所定の時間より長く１枚以上の紙幣が出口スロットにあると判断されたら、移動手段が、未回収紙幣を出口スロットからパージ容器に供給するよう作動する。
【０００４】
【発明が解決しようとする課題】
上述した既知の現金自動支払機の欠点は、拒否された紙幣と未回収の紙幣とが同一のパージ容器に蓄積されるので、現金の引出要求に応じて差し出された紙幣のスタックの一部または全部を顧客が取り出せなかったことに関して、顧客と銀行間で論争が生じた場合に、パージ容器内の特定の紙幣を識別することが困難なことである。
【０００５】
別のＡＴＭの既知の現金自動支払ユニットは、拒否された紙幣と顧客が未回収で残した紙幣とで、別個の回収手段を含む。しかし、この別の既知のユニットには、このような別個の回収手段を設けることによって複雑さとユニットの費用とが増大する、という欠点がある。この別の既知のユニットのもう一つの欠点は、ある使用者が未回収で残してパージされた紙幣と、別の使用者が未回収で残してパージされた紙幣とを、区別できないことである。
【０００６】
既知の現金自動支払機について上述した欠点を軽減するのに適した現金自動支払装置を提供することが、本発明の目的である。
【０００７】
【課題を解決するための手段】
このため、本発明は、紙幣を収容する紙幣保管手段と、監視用紙を保管する用紙保管手段と、前記紙幣保管手段から紙幣を一枚ずつ取り出す手段と、取り出された紙幣を出力スロットルに供給する手段と、供給される紙幣が複数枚あることを検知する複数紙幣検出手段と、前記出力スロットルに供給された紙幣の全部又は一部が所定時間取り出されないことを検出するセンサ手段と、前記複数紙幣検出手段又は前記センサ手段の検知によるパージ操作によって回収された紙幣を蓄積するパージ容器手段と、前記パージ操作があった際に前記用紙保管手段から前記監視用紙を引き出し、当該パージ操作の後に当該引き出された監視用紙に当該パージ操作に係る特定の識別情報を印刷して前記パージ容器手段に蓄積させると共に、連続的なパージ操作において前記パージ容器手段内に蓄積された紙幣を相互に分離可能にする用紙処理手段と、の各手段を備えることを特徴とする現金自動支払装置を提供するものである。
【０００８】
ここで、本現金自動支払装置は、要求された各取引業務の詳細、当該取引業務の結果、すなわち成功裏に払い出された現金又はパージされた現金に関する情報を記録する。
【０００９】
本発明が、既存のＡＴＭを物理的に変更することなく利用できることが、本発明の第２の利点である。
【００１０】
次に、本発明の実施例を、添付の図面を参照しながら、例示することによって説明する。
【００１１】
【実施例】
図１、２および３を参照すると、本発明の方法に従って操作できる現金自動支払装置１６を有する、従来通りのＡＴＭ２が図示されている。ＡＴＭ２は、ＡＴＭ２の動作を制御する制御プログラムを格納する中央演算装置（ＣＰＵ）４の形で、電子制御手段を組み込む。
【００１２】
ＣＰＵ４は、使用者のＩＤカードを受け取る従来のカード読取装置９（図３）を伴うスロット８と、データを入力するキー・パッド１０と、使用者の情報を表示する画面１２と、紙幣を使用者に支払う出力スロット１４とを組み込むユーザ・インタフェース装置６に接続されている。ＣＰＵ４は、現金支払装置１６（図２）と、明細書、受領書、口座残高などの文書を印刷する従来通りのプリンタ１７（図３）とにも接続されている。
【００１３】
ＣＰＵ４は、ＡＴＭ２の動作を制御するばかりでなく、ＡＴＭの各ユーザの口座詳細、ＡＴＭに要求された各取引業務の詳細、およびその取引業務の結果、すなわち成功裏に分配された現金またはパージされた現金を、順次記入する取引簿も付ける。取引簿は、電子的に保存するか、印刷記録の形をとることができる。
特に図２を参照すると、現金自動支払ユニット１６は、２個の類似した既知の取出し手段１８を含み、これは上下に重なって配置されて、それぞれが上部保管カセット２０および下部保管カセット２１を伴い、それは従来通りの通貨カセットの形で、自動支払ユニット１６の支持枠２２に、脱着可能な状態で装着されている。上部保管カセット２０は、紙幣２４のスタックを収容するよう配置され、下部カセット２１は、長方形の用紙２５（以降、監査用紙と呼ぶ）のスタックを収容して、紙幣２４と監査用紙２５の両方の対応する長辺は、保管カセット２０、２１のそれぞれに装着された水平支持板２６上に支持される。
【００１４】
ＡＴＭ２は、通常は、様々な額面の紙幣を収容する複数の保管カセットを含み、したがってＡＴＭ２が支払う現金の金額に融通性が与えられることを理解されたい。しかし、図２では、話を簡単にするために、紙幣を収容するカセット１個のみと監査用紙を収容するカセット１個のみとを図示する。
【００１５】
捜査時には、ＣＰＵ４の制御下でカセット２０、２１の双方とも同様に上部カセット２０から紙幣２４を取り出し、下部カセット２１から監査用紙２５を取り出す。したがって、上部カセット２０およびそこから紙幣２４を取り出す操作のみを、詳細に説明する。
【００１６】
上部保管カセット２０内の紙幣２４のスタックは、バネ仕掛けの押し部材２８によって、保管カセット２０の前端に装着された停止部材３０に向かって押し付けられる。開口部３２が保管カセット２０の前端に形成され、開口部３２は、保管カセット２０が自動支払ユニット１６に装着されていない場合は、通常、従来通りのシャッター手段（図示せず）で閉じられている。保管カセット２０が自動支払ユニット１６内に正しく装着されている場合は、シャッターが自動的に引っ込み、関連の取り出し手段１８が開口部３２を通して紙幣２４を抽出することができる。
【００１７】
周知のように、取り出し手段１８は従来通りのピック・アーム４０を２本含み、それぞれはゴム製吸着パッド４２を組み込んでいるが、それは自動支払ユニット１６の枠２２に、旋回可能な状態で装着されている。運転時には、吸着パッド４２が第１の紙幣２４’と接触し、吸引ポンプ４４と吸着パッド４２との間に配置された電磁弁４６（図３）が開放すると、吸引ポンプ４４（図３）の生成した吸引力が、吸着パッド４２を介して上部保管カセット２０の紙幣２４のスタックのうち最初の紙幣２４’にかかる。ピック・アーム４０の振動動作は、保管カセット２０内に保持された紙幣２４のスタックから、紙幣２４を１枚ずつ取り出すのに効果的である。自動支払ユニットは、紙幣２４を上部保管カセット２０から供給路５２を通って従来通りのスタッキング・ホィール５４へ、さらに出力スロット１４へと供給する供給ローラ５２も組み込み、ローラ５０は、保管カセット２０の前部の開口部３２に配置され協同する第１および第２ローラ５６および５８と提携する。
【００１８】
通常の取り出し操作の過程では、上部保管カセット２０内の紙幣２４のスタックのうち第１紙幣２４’の下側長辺が、それぞれの吸着パッド４２によって加えられた吸引力で、保管カセット２０から部分的に引き出され、提携する第１、第２ローラ５６、５８間に供給される。ローラ５６、５８は、紙幣２４’と噛み合うと、紙幣２４’を供給路５２に押しやり、ローラ５０によって供給させる。
【００１９】
スタッキング・ホィール５４は、既知の方法で配置され、供給路５２を通って供給された紙幣２４を受け取る。スタッキング・ホィール５４は、使用者が回収できるように出力スロット１４に分配する紙幣の束７４を形成するよう、保管カセット２０から取り出した紙幣２４を積み重ねる役割を果たす。
【００２０】
スタッキング・ホィール５４は、駆動モータ４８（図３）によって駆動され、操作中には、反時計回りの方向に連続的に回転するよう配置される。上部移送機構６２とスタッキング・ホィール５４との間には、複数の紙幣を供給した場合にそれを検出するため、複数紙幣検出手段６０（図３）が設けられる。操作時には、供給路５２を通ってスタッキング・ホィール５４に供給される各紙幣は、隣接する歯６６の間に入り、スタッキング・ホィール５４の軸の周囲を一部搬送され、紙幣は、抜取り板アセンブリ６８によってホィール５４から剥ぎ取られ、ベルト手段７０に積み重ねられる。ベルト手段７０は、通常は図２に図示の位置に保持されたベルト手段７２と協力する。現金引出要求に応じて、使用者に支払われる紙幣の束７４（または１枚だけの紙幣）が、ベルト手段７０上に積み重ねられると、紙幣の束７４をベルト手段７０とベルト手段７２との間に捕捉するよう、ベルト手段７２が軸７６を中心に時計回りの方向に揺動する。この揺動動作の過程で、ベルト手段７２を構成する個別のベルトは、隣接するスタッキング・プレート６４の対の間を通ることを理解されたい。
【００２１】
束７４中のいずれの紙幣も、何らかの理由で拒否されなかったとすると、ベルト手段７０および７２は、束７４を隣接するベルト手段７８と８０との対に追いやるように運転される。ベルト手段７８および８０が、束７４の一部を出口スロット１４から押し出し、ＡＴＭ２の使用者が束７４を回収できる位置にし、ＡＴＭの作動時以外はスロット１４を閉じる働きをするシャッター８２は、それ以前に引っ込み、開放位置になっている。
【００２２】
ベルト手段７０および７２は、互いに対して弾力的な関係で装着され、ベルト手段７８および８０も、互いに対して弾力的な関係で装着されているので、様々な厚さの紙幣の束を、ベルト手段７０と７２、およびベルト手段７８と８０との間に保持し、供給できることを理解されたい。
【００２３】
ベルト手段７０、７２、７８および８０は、ＣＰＵ４の制御下で、双方向ステッパ・モータ７１（図３）によって駆動される。
【００２４】
紙幣の束７４をベルト手段７０上に積み重ねる過程で、複数の紙幣の供給が検出された場合、あるいは何らかの理由で束７４のうちの１枚以上の紙幣が拒否された場合は、抜取り板アセンブリ６８が、図２の鎖線輪郭で図示した位置に揺動し、ベルト手段７０および７２が、通常の供給方向とは逆方向に束７４を供給するよう作動して、束７４がパージ容器８４の頂部の開口部を介して、そこに蓄積される。
【００２５】
同様に、、紙幣２４の束７４が所定の時間だけ出力スロット１４に出され、束７４の全体または一部が取り出されないことが、出力スロット１４に隣接して配置されたセンサ８６が検出した場合には、双方向ステッパ・モータ７１がベルト７８、８０を通常の供給方向とは逆方向にさせて、束７４またはその残りを引っ込め、束７４を構成する紙幣またはその残りは、上述したようにパージ容器に蓄積される。
【００２６】
上述のようにパージ操作が実施された直後で、次の現金引出操作の前に、ＣＰＵ４は、下部保管カセット２１と提携する取り出し手段１８に命令して、下部カセット２１から第１監査用紙２５’を取り出し、駆動モータ４８を起動して、上述した紙幣２４を取り出して移送したのと同じ方法で、供給ローラ５０に用紙２５を下部カセット２１からスタッキング・ホィール５４に移送させる。紙幣２４を変則的に取り出して、ベルト７０および７２に移送した結果、１枚以上の紙幣２４がパージ容器８４内に蓄積されたのと同じ方法で、監査用紙２５’は、スタッキング・ホィール５４からパージ容器８４に蓄積される。紙幣２４および監査用紙２５は、ベルト７０および７２によって、制御された方法で蓄積されるので、連続的なパージ操作の過程において、最後のパージ操作以外の各パージ操作中にパージ容器８４に蓄積される紙幣は、監査用紙によって、次のパージ操作でパージ容器８４に蓄積される紙幣と分離される。
【００２７】
変則的な紙幣２４の取出しまたは移送のために紙幣２４がパージされた場合は、ＡＴＭ２が所望の紙幣を再度取り出して、変則的事態がなかったかのように、通常の方法で出力スロット１４に移送する。使用者が出力スロット１４から紙幣２４を取り出さなかったために紙幣２４がパージされた場合は、ＡＴＭ２は、新しい使用者からの要求を待つ。
【００２８】
監査用紙２５は、用紙ごとに異なる特定の識別情報が、連続番号などで印刷される。上述したＡＴＭの取引簿に含まれる情報のおかげで、パージ容器８４内にある紙幣の各束を、現金のパージが記録された特定の取引業務に割り当てることができる。この割当ては、監査用紙の識別情報を用いて単純化される。
【図面の簡単な説明】
【図１】  本発明による現金自動支払ユニットを有するＡＴＭの透視図である。
【図２】  自動支払ユニットが、２つの取り出し手段を有し、前記ユニットの一部を省略した、図１のＡＴＭの現金自動支払ユニットの側面図である。
【図３】  図１のＡＴＭの要素のブロック回路図である。
【符号の説明】
２    ＡＴＭ
４    ＣＰＵ
８    スロット
９    カード読取装置
１０    キー・パッド
１２    画面
１４    出力スロット
１６    現金自動支払装置
１７    プリンタ
１８    取出し手段
２０    上部保管カセット
２１    下部保管カセット
２２    支持枠
２４    紙幣
２４’  紙幣
２５    監査用紙
２５’  監査用紙
２６    支持板
２８    押し部材
３０    停止部材
３２    開口部
４０    ピック・アーム
４２    吸着パッド
４４    吸引ポンプ
４６    電磁弁
４８    駆動モータ
５０    ローラ
５２    供給路
５４    スタッキング・ホィール
５６    第１ローラ
５８    第２ローラ
６０    複数紙幣検出手段
６２    上部移送機構
６４    スタッキング・プレート
６６    歯
６８    抜取り板アセンブリ
７０    ベルト手段
７２    ベルト手段
７４    束
７６    軸
７８    ベルト手段
８０    ベルト手段
８２    シャッター
８４    パージ容器
８６    センサ
【図１】
0003955117.tif 000002
【図２】
0003955117.tif 000003
【図３】
0003955117.tif 000004